(57)【要約】【課題】他人が履いた履物を履くことによる不潔感や不衛生感を回避できる履物へのラベル貼付け方法及び履物用ラベルを提供する。【解決手段】ラベル１４は、足を載せるソール部１１と足を引っ掛ける履帯１２とを有し、温泉旅館等の多人数が使用する集合浴場にて着脱する多数のスリッパ１０に剥離可能に貼り付けられ、履き主を特定する表示が記載される。ラベルの貼付け位置は、ソール部の足載置部分であって、かつ履物が脱がれた状態で外部から認識可能な部分である。【選択図】    図１
2005003919.tif 000002
【特許請求の範囲】
【請求項１】
足を載せるソール部と足を引っ掛ける履帯とを有し、多人数が利用する集合浴場の出入口にて着脱される多数の履物を対象として、該履物に履き主を特定する表示を記載するためのラベルを剥離可能に貼り付けるラベル貼付け方法であって、前記ソール部の足載置部分で、かつ前記履物が脱がれた状態で外部から認識可能な部分に前記ラベルを貼り付けるようにしたことを特徴とする履物へのラベル貼付け方法。
【請求項２】
前記ラベルの表示の記載が、水分の付着に対して明瞭さを保持できるようにされたことを特徴とする前記請求項１に記載の履物へのラベル貼付け方法。
【請求項３】
前記ラベルの周縁の一部が、前記ソール部に貼り付かないようにされたことを特徴とする前記請求項１又は２に記載の履物へのラベル貼付け方法。
【請求項４】
足を載せるソール部と足を引っ掛ける履帯とを有し、多人数が利用する集合浴場の出入口にて着脱される多数の履物を対象として、該履物に剥離可能に貼り付けられる履き主を特定する表示を記載するための履物用ラベルであって、前記ソール部の足載置部分で、かつ前記履物が脱がれた状態で外部から認識可能な部分に貼り付けられることを特徴とする履物用ラベル。
【請求項５】
水分の付着に対して、前記表示の記載の明瞭さを保持できる構造となっていることを特徴とする前記請求項４に記載の履物用ラベル。
【請求項６】
前記ラベルの周縁の一部に、前記ソール部に貼り付かない非貼付け部を設けたことを特徴とする前記請求項４又は５に記載の履物用ラベル。
【請求項７】
前記請求項４，５，６に記載の履物用ラベルをそれぞれ２対、３対、４対貼り付けた３種類からなることを特徴とする履物用ラベル貼付け台紙。
【発明の詳細な説明】
【０００１】
【発明の属する技術分野】
本発明は、足を載せるソール部と足を引っ掛ける履帯とを有し、温泉旅館等の多人数が利用する集合浴場の出入口にて着脱される多数のスリッパ，下駄等の履物を対象として、履物に履き主を特定する表示を記載するためのラベルを貼り付けるラベル貼付け方法、履物用ラベル及び履物用ラベル貼付け台紙に関する。
【０００２】
【従来の技術】
従来、温泉旅館、ホテル、銭湯、サウナ等の多人数が利用する集合浴場を有する施設においては、出入口にて個々にスリッパ等を脱いで入浴し、入浴後に、乱雑に配置されたスリッパの中からいずれか１足を選んで、これを履いて退場するようになっていた。しかし、これでは他人が素足で履いたスリッパを履かなければならないため、不快であると共に水虫等の疾患がうつる可能性もあり、不衛生でもあった。このような不衛生さを避けるため、入口で殺菌灯によりスリッパの殺菌を行う施設もあるが、これによっても不快感を取り除くことはできない。
【０００３】
【発明が解決しようとする課題】
本発明は、上記した問題を解決しようとするもので、他人が履いた履物を履くことによる不潔感や不衛生感を回避できる履物へのラベル貼付け方法及び履物用ラベル貼付け台紙を提供することを目的とする。
【０００４】
【課題を解決するための手段】
上記目的を達成するために上記請求項１の発明の構成上の特徴は、足を載せるソール部と足を引っ掛ける履帯とを有し、多人数が利用する集合浴場の出入口にて着脱される多数の履物を対象として、履物に履き主を特定する表示を記載するためのラベルを剥離可能に貼り付けるラベル貼付け方法であって、ソール部の足載置部分で、かつ履物が脱がれた状態で外部から認識可能な部分にラベルを貼り付けるようにしたことにある。ここで、履物としては、スリッパの他に、サンダル、草履、下駄等があり、それぞれに応じて、ソール部及び履帯の具体的な形態が異なったものとなる。
【０００５】
上記のように構成した請求項１の発明においては、ソール部の足載置部分で、かつ履物が脱がれた状態で外部から認識可能な部分にラベルを貼り付けるようにしたことにより、温泉旅館等の集合浴場の出入口において、入浴後に履物の履き主を特定する表示の記載されたラベルを見ることにより、自分が入浴前に履いてきた履物を簡単に見つけることができるため、確実に自己の履いてきた履物を履くことができる。そのため、他人が素足で履いた履物を履くことによる不潔感や不衛生感を確実に防止することができる。また、履物を履いている間は、履き主を特定する氏名、宿泊室番号等の表示が足に隠されて他人に見られることはないので、他人に知られたくない自己を特定する表示が知られることはない。また、このラベルについては、使用後に簡単に剥離除去することができるので、使用済みのラベルを処理する上での問題はない。さらに、使用後に、集合浴場の従業員が、履物の清掃を行う際に、同時にラベルを剥がすようにすることにより、履物の清掃を確実にチェックできるので便利である。
【０００６】
また、上記請求項２の発明の構成上の特徴は、前記請求項１に記載の履物へのラベル貼付け方法において、ラベルの表示の記載が、水分の付着に対して明瞭さを保持できるようにされたことにある。これにより、入浴後の濡れた素足で履物を履いても、ラベルの表示の記載の明瞭さが保持されて失われることがないので、ラベルの表示機能が確保される。
【０００７】
また、上記請求項３の発明の構成上の特徴は、前記請求項１又は２に記載の履物へのラベル貼付け方法において、ラベルの周縁の一部が、ソール部に貼り付かないようにされたことにある。これにより、履物からラベルを剥がす際に、ソール部に貼り付かないようにされたラベルの周縁の一部から剥がすことにより、簡単にラベルを剥がすことができる。
【０００８】
また、上記請求項４の発明の構成上の特徴は、足を載せるソール部と足を引っ掛ける履帯とを有し、多人数が利用する集合浴場の出入口にて着脱される多数の履物を対象として、履物に剥離可能に貼り付けられる履き主を特定する表示を記載するための履物用ラベルであって、ソール部の足載置部分で、かつ履物が脱がれた状態で外部から認識可能な部分に貼り付けられることにある。
【０００９】
上記のように構成した請求項４の発明においては、ラベルは、ソール部の足載置部分で、かつ履物が脱がれた状態で外部から認識可能な部分に貼り付けられる。そのため、温泉旅館等の集合浴場の出入口において、入浴後に、履物の履き主を特定する表示の記載されたラベルを見ることにより自分の履いてきた履物を簡単に見つけることができ、確実に自己の履いてきた履物を履くことができる。その結果、請求項４の発明によれば、他人が素足で履いた履物を履かなければならないことによる不潔感や不衛生感を確実に防止することができる。また、履物を履いている間は、履き主を特定する氏名、宿泊室番号等の表示が足に隠されて他人に見られることはないので、他人に知られたくない自己を特定する表示が知られることはない。また、このラベルについては、使用後に簡単に剥離除去することができるので、ラベル処理の上での問題はない。さらに、使用後に、集合浴場の従業員が、履物の清掃を行う際に、同時にラベルを剥がすようにすることにより、履物の清掃を確実にチェックできるので便利である。
【００１０】
また、上記請求項５の発明の構成上の特徴は、前記請求項４に記載の履物用ラベルにおいて、水分の付着に対して、表示の記載の明瞭さを保持できる構造となっていることにある。これにより、入浴後の濡れた素足で履物を履いても、ラベルの表示の記載の明瞭さが保持されて失われることがなく、ラベルの表示機能が確保される。
【００１１】
また、上記請求項６の発明の構成上の特徴は、前記請求項４又は５に記載の履物用ラベルにおいて、ラベルの周縁の一部に、ソール部に貼り付かない非貼付け部を設けたことにある。これにより、履物からラベルを剥がす際に、ソール部に貼り付かないようにされたラベルの周縁の一部から剥がすことにより、簡単にラベルを剥がすことができる。
【００１２】
また、上記請求項７の発明の構成上の特徴は、前記請求項４，５，６に記載の履物用ラベルをそれぞれ２対、３対、４対貼り付けた３種類からなる履物用ラベル貼付け台紙である。これにより、在室客数が２人以上の部屋に対して、客数に合わせた履物用ラベルの貼り付けられた貼付け台紙あるいはその組合せを用意することにより対応することができる。その結果、履物用ラベルの無駄が生じることがなく、材料の無駄を省くことができる。
【００１３】
【発明の実施の形態】
以下、本発明の一実施の形態について図面を用いて説明する。図１及び図２は、同実施形態である温泉旅館、ホテル、銭湯等の多数の客が利用する集合浴場を有する施設において、集合浴場の出入口にて多人数が素足で着脱して使用するラベル１４が貼り付けられたスリッパ（履物）１０を平面図、及び正面図により示したものである。
【００１４】
スリッパ１０は、ビニール製の長尺状の通常の形態のものであり、足が載せられる偏平なソール部１１と、ソール部１１の長手方向方つま先側にて全体に被せられたソール部１１との間に足先を挿入する挿入空間を形成する履帯１２を設けている。そして、ソール部１１の踵側の足を載せる面に、ラベル１４が貼り付けられている。ラベル１４は、水性インクあるいは油性インク製のフェルトマーカ等で文字を記載したとき、インクが染み込むことにより、後で水分を付着させても文字がにじまないような公知の紙材質により形成されたものであり、その裏面に粘着剤が塗布されている。ラベル１４には、フェルトマーカ等によりスリッパ利用者を特定する室番号、氏名等が記載される。
【００１５】
スリッパ１０へのラベル１４の貼り付けについては、温泉旅館、ホテル、サウナ等の施設の従業員が、スリッパ１０の清掃を行う際に行われることが好ましい。すなわち、使用済みのスリッパ１０からラベル１４を剥がして、スリッパ１０の清掃を行った後に、新たなラベル１４が貼り付けられる。これにより、新たなラベル１４が貼り付けられると共に、スリッパ１０の清掃が行われていることが明瞭にされるようになる。なお、スリッパ１０の清掃については、乾燥の速いエタノール等の揮発性の殺菌消毒剤を使用することが好ましい。さらに、スリッパ１０が消毒済みであることをスリッパ利用者にアッピールする意味で、図３に示すように、一足ごとに「消毒済」と記載した紙帯２１を巻き付けておくことが好ましい。
【００１６】
ラベル１４のスリッパ１０への貼付けや、ラベル１４への氏名等の記載については、通常は温泉旅館等の従業員によって行われるが、場合によっては、スリッパ１０の利用者に貼付けや氏名等の記載を行ってもらうこともできる。この場合、ラベル１４をそれぞれ２対（２名分）、３対（３名分）、４対（４名分）貼り付けた３種類からなる履物用ラベル貼付け台紙を用意しておき、在室客数に合わせたラベル１４の貼り付けられた貼付け台紙あるいはその組合せを客室内に用意することにより対応することができる。その結果、ラベル１４の無駄が生じることがなく、材料の無駄を省くことができる。また、この場合には、利用者のために、貼付け及び記載方法を示したマニュアル等を用意することが望ましい。
【００１７】
上記のように構成した実施形態においては、ソール部１１の踵側の足載置位置に、利用者を特定する室番号、氏名等の記載されたラベル１４を貼り付けるようにしたことにより、温泉旅館等の集合浴場の出入口において、入浴後に、スリッパ１０に貼り付けられたラベル１４を見ることにより、自分の履いてきたスリッパ１０を簡単に見つけることができ、確実に自己の履いてきたスリッパ１０を履くことができる。そのため、他人が素足で履いたスリッパ１０を履かなければならないことによる不潔感や不衛生感を確実に防止することができる。また、スリッパ１０を履いている間は、ラベル１４の自己の氏名や宿泊室等の特定する表示が足に隠されているため、他人に見られることはなく、他人に知られたくない特定表示が知られることはない。
【００１８】
また、このラベル１４については、スリッパ１０の使用後に簡単に剥離除去することができるので、使用済みのラベル１４を処理する上での問題はない。さらに、スリッパ１０の使用後に、温泉旅館等の施設の従業員が、スリッパ１０の清掃と共にラベル１４の交換を行うことができるので、スリッパ１０の清掃を確実にチェックできるので便利である。さらに、ラベル１４は、表示の記載が水分に対して明瞭さを保持できる材質で形成されているため、入浴後の濡れた素足でスリッパ１０を履いても、ラベル１４の表示の記載の明瞭さが保持されて失われることがなく、その表示機能が確保される。
【００１９】
なお、上記ラベル１４については、後で水分を付着させても文字がにじまないような公知の紙材質により形成されたものであるが、これに代えて、図４に変形例として示すように、通常の紙材質のラベル１６に氏名等を記載した後に透明フィルム１７を貼り合わせるタイプのラベルであってもよい。このラベル１６でも、後で水分を付着させてもラベル１６に記載された文字がにじまないようにされる。
【００２０】
また、ラベルの変形例２として、図５に示すように、ラベル１８の一隅に、ソール部１１に貼り付かないように粘着剤の塗布されていない非貼付け部１９を設けた。これにより、スリッパ１０からラベル１８を剥がす際に、ソール部１１に貼り付いていない非貼付け部１９からラベル１８剥がすことにより、簡単にラベル１８を剥がすことができる。
【００２１】
なお、上記実施形態では、本発明をスリッパに適用した場合について説明した後、これに限らずサンダル、下駄、草履等、集合浴場で使用される種々の履物に対しても適用できる。下駄、草履の場合、履帯が紐状の鼻緒となる。
【００２２】
【発明の効果】
本発明によれば、ソール部の足載置部分に履き主を特定した表示が記載されたラベルを貼り付けるようにしたことにより、温泉旅館等の集合浴場の出入口において、入浴後に、履物に貼り付けられたラベルを見ることにより自分の履いてきた履物を簡単に見つけることができる。そのため、他人が履いた履物を履くことによる不潔感や不衛生感を確実に防止することができる。また、履物を履いている間は、履き主を特定する氏名、宿泊室番号等の表示を他人に見られることはないので、他人に知られたくない特定表示が知られることはない。
【図面の簡単な説明】
【図１】本発明の一実施形態であるスリッパを示す平面図である。
【図２】同スリッパを示す正面図である。
【図３】紙帯の巻き付けられたスリッパを示す平面図である。
【図４】ラベルの変形例を示す正面図である。
【図５】ラベルの変形例２を示す正面図である。
【符号の説明】
１０…履物、１１…ソール部、１２…履帯、１４，１６，１８…ラベル。
【図１】
2005003919.tif 000003
【図２】
2005003919.tif 000004
【図３】
2005003919.tif 000005
【図４】
2005003919.tif 000006
【図５】
2005003919.tif 000007